(57)【要約】【課題】塵や埃が表示パネルの表示面に付着し難くすると共に装置全体の剛性を高めることができるようにする。【解決手段】表示装置３は、表示パネル１０と、前面板１１と、フレーム部材１３と、クッション部材１４と、カバー部材１２とを備えている。前面板１１は、表示パネル１０の表示面１０ａを覆う。クッション部材１４は、前面板１１に取り付けられて、表示パネル１０と前面板１１との間に介在される。フレーム部材１３は、表示パネル１０の表示面１０ａと反対側の背面部及び側面部を覆い、且つ表示パネル１０を保持した状態で前面板１１に固定される。カバー部材１２は、表示パネル１０の表示面１０ａと反対側の背面部側に配置される。そして、カバー部材１２は、フレーム部材１３が固定された前面板１１に取り付けられて、表示パネル１０を保持したフレーム部材１３を覆う。【選択図】図３
2011242480.tif 000002
【特許請求の範囲】
【請求項１】
画像を表示可能な表示パネルと、
前記表示パネルの表示面を覆う前面板と、
前記前面板に取り付けられて前記表示パネルの前記表示面と前記前面板との間に介在されるクッション部材と、
前記表示パネルの前記表示面と反対側の背面部及び側面部を覆い、且つ前記表示パネルを保持した状態で前記前面板に固定されるフレーム部材と、
前記表示パネルの前記表示面と反対側の背面部側に配置されると共に前記フレーム部材が固定された前記前面板に取り付けられて、前記表示パネルを保持した前記フレーム部材を覆うカバー部材と、
備えた表示装置。
【請求項２】
前記前面板は、
前記表示パネルの前記表示面が臨む開口部を有する枠部材と、
前記枠部材に形成した開口部を閉じるクリアパネルと、からなり、
前記前面板と前記フレーム部材との固定箇所は、前記枠部材における前記開口部を囲むように配置されている
請求項１に記載の表示装置。
【請求項３】
前記前面板又は前記フレーム部材のどちらか一方には、係合爪が設けられ、
前記前面板又は前記フレーム部材の他方には、前記係合爪と係合する係合受部が設けられており、
前記前面板と前記フレーム部材は、前記係合爪と前記係合受部が係合することで固定される
請求項１又は２に記載の表示装置。
【請求項４】
前記フレーム部材は、前記前面板に固定ねじによって固定される
請求項１〜３のいずれかに記載の表示装置。
【請求項５】
前記前面板における前記表示パネル及び前記フレーム部材が固定される箇所の周辺には、周辺装置が取り付けられる設置部が設けられている
請求項１〜４のいずれかに記載の表示装置。
【請求項６】
前記周辺装置は、電波を送受信可能なアンテナ部と、前記アンテナ部に接続されたグランド板とを有するアンテナエレメントであり、
前記アンテナエレメントの前記グランド板は、前記フレーム部材における前記表示パネルを保持する面と反対側の面に接触する
請求項４に記載の表示装置。
【請求項７】
前記カバー部材は、前記前面板に着脱可能に取り付けられる
請求項１〜６のいずれかに記載の表示装置。
【請求項８】
画像を表示可能な表示パネルの表示面を覆う前面板にクッション部材を取り付ける工程と、
前記表示パネルをフレーム部材に設けた凹部に嵌め込み、前記表示パネルの表示面と反対側の背面部及び側面部を前記フレーム部材によって覆う工程と、
前記表示パネルが嵌め込まれた前記フレーム部材を前記前面板に固定し、前記表示パネルの前記表示面を前記前面板によって覆う工程と、
前記フレーム部材が固定された前記前面板に周辺装置を取り付ける工程と、
前記表示パネルの前記表示面と反対側の背面部側に配置されると共に前記フレーム部材及び前記周辺装置が固定された前記前面板にカバー部材を固定し、前記フレーム部材及び前記周辺装置を覆う工程と、
を含む表示装置の組立方法。
【請求項９】
前記周辺装置は、電波を送受信可能なアンテナ部と、前記アンテナ部に接続されたグランド板とを有するアンテナエレメントであり、
前記アンテナエレメントの前記グランド板を、前記フレーム部材における前記表示パネルを保持する面と反対側の面に接触させる
請求項８に記載の表示装置の組立方法。
【発明の詳細な説明】
【技術分野】
【０００１】
本発明は、画像を表示可能な液晶ディスプレイパネルや有機ＥＬディスプレイパネル等の表示パネルを有する表示装置、及びこの表示装置の組立方法に関する。
【背景技術】
【０００２】
一般的に、パーソナルコンピュータ、携帯電話、ＰＤＡ（Personal Digital Assistant）等の電子機器には、画像を表示可能な表示装置を有している。例えば、特許文献１には、ノート型パソコンの表示部として表示装置が用いられている例が記載されている。この特許文献１に記載されている表示装置は、表示パネルをフレーム部材で保持し、表示パネルを保持したフレーム部材をカバー部材である配置用枠に固定している。そして、表示パネルの表示面を覆うようにして前面板が配置用枠に固定されている。
【０００３】
更に、表示パネルの周辺には、周辺装置として所定の方式で通信を行うためのアンテナエレメントが設けられている。
【０００４】
次に、図９及び図１０を参照して、従来の表示装置の構成について説明する。
図９は、従来の表示装置を示す分解斜視図、図１０は、図９に示す表示装置の要部を示す断面図である。
【０００５】
図９に示すように、従来の表示装置１００は、略長方形状の表示パネル１０１と、前面板１０２と、カバー部材１０３と、周辺装置である２つのアンテナエレメント１０４、１０４とを有している。略長方形状に形成された前面板１０２は、開口を有する枠部材１０２ａと、枠部材１０２ａの開口と閉じる透明なクリアパネル１０２ｂと、から構成されている。更に、アンテナエレメント１０４は、電波を送受信するアンテナ部１０４ａと、グランド板（以下、「ＧＮＤ板」という。）１０４ｂと、を有している。
【０００６】
また、カバー部材１０３は、略容器状に形成されており、表示パネル１０１の位置決めを行い、且つ表示パネル１０１を保持するリブ１０５が設けられている。すなわち、このカバー部材１０３は、表示パネル１０１を保持するフレーム部材を一体に形成したものである。そして、カバー部材１０３は、例えばマグネシウム合金１０３ａとエンジニアリングプラスチック１０３ｂをアウトサート成型することで形成されている。
【０００７】
図１０に示すように、表示パネル１０１は、カバー部材１０３に設けたリブ１０５に保持される。そして、表示パネル１０１をリブ１０５に保持させた状態で、表示パネル１０１の表示面１０１ａ側を覆うように、前面板１０２がカバー部材１０３に固定されている。
【０００８】
そして、２つのアンテナエレメント１０４、１０４は、表示パネル１０１の長手方向の両側に配置される。また、アンテナエレメント１０４のＧＮＤ板１０４ｂは、リブ１０５を乗り越えて表示パネル１０１の背面側に配置され、表示パネル１０１の背面に接触する。
【先行技術文献】
【特許文献】
【０００９】
【特許文献１】特開２００８−２８８８０１号公報
【発明の概要】
【発明が解決しようとする課題】
【００１０】
しかしながら、従来の表示装置では、表示パネルを保持するフレーム部材は、カバー部材に固定したり、又はフレーム部材と一体に形成したりしている。そして、表示パネルをフレーム部材に保持させた状態で、カバー部材の開口を閉じるように、前面板が取り付けられている。そのため、表示パネルの表示面を覆う前面板を組み付けるまで、表示パネルの表示面が露出していた。
【００１１】
また、上述した従来の表示装置のように、表示パネルの周辺にアンテナエレメントやカメラ等の周辺装置を取り付けるものもある。そのため、前面板をカバー部材に取り付ける前に様々な部品を取り付ける必要があり、表示パネルが、長時間露出することになる。その結果、前面板をカバー部材に取り付ける間に、表示パネルの表示面に塵や埃等のゴミが付着する可能性が高くなっていた。
【００１２】
更に、前面板とカバー部材は、それぞれの外周に設けた係合部と係合受部を係合することで固定されている。そして、前面板における表示パネルの外周付近は、固定されていなかった。そのため、前面板における表示パネルが配置されている付近は、面方向と直交する方向に撓み易くなっている。その結果、前面板が撓むことで、表示パネルと前面板との間に隙間が発生し、この隙間から塵や埃等が侵入するおそれがあった。
【００１３】
なお、前面板が撓むことを防ぐために、前面板の表示パネルの外周付近に固定孔を設けて、固定ねじを用いてカバー部材に固定する方法が考えられる。しかしながら、このような構成では、前面板の体裁面に固定孔を設ける必要がるため、装置の美観が損なわれる、という不具合を有している。
【００１４】
そして、従来の構成では、カバー部材や周辺装置を取り外す場合、前面板、表示パネル及び周辺装置を全て取り外す必要があった。そのため、カバー部材の色を変更や周辺装置の変更等の部品の交換を行う作業が大変煩雑なものとなっていた。
【００１５】
本発明の目的は、上記の問題点を考慮し、塵や埃が表示パネルの表示面に付着し難くすると共に装置全体の剛性を高めることができる表示装置及び表示装置の組立方法を提供することにある。
【課題を解決するための手段】
【００１６】
上記課題を解決し、本発明の目的を達成するため、本発明の表示装置は、下記のような構成を備えている。表示装置は、画像を表示可能な表示パネルと、表示パネルの表示面を覆う前面板と、前面板に取り付けられて表示パネルの表示面と前面板との間に介在されるクッション部材とを備えている。また、表示パネルの表示面と反対側の背面部及び側面部を覆い、且つ表示パネルを保持した状態で前面板に固定されるフレーム部材を備える。そして、表示パネルの表示面と反対側の背面部側に配置されると共にフレーム部材が固定された前面板に取り付けられて、表示パネルを保持したフレーム部材を覆うカバー部材を備えている。
【００１７】
また、本発明の表示装置の組立方法は、以下の（１）から（５）に示す工程を含んでいる。
（１）画像を表示可能な表示パネルの表示面を覆う前面板にクッション部材を取り付ける工程。
（２）表示パネルをフレーム部材に設けた凹部に嵌め込み、表示パネルの表示面と反対側の背面部及び側面部をフレーム部材によって覆う工程。
（３）表示パネルが嵌め込まれたフレーム部材を前面板に固定し、表示パネルの表示面を前面板によって覆う工程。
（４）フレーム部材が固定された前面板に周辺装置を取り付ける工程。
（５）表示パネルの表示面と反対側の背面部側に配置されると共にフレーム部材及び周辺装置が固定された前面板にカバー部材を固定し、フレーム部材及び周辺装置を覆う工程。
【発明の効果】
【００１８】
本発明の表示装置及び表示装置の組立方法によれば、表示パネルをフレーム部材に保持してから、前面板に固定することで、表示パネルを前面板、フレーム部材及びクッション部材の間に密閉することができる。そして、組み立て作業時に表示パネルの表示面が露出する時間を短くすることができ、表示面に塵や埃が付着する時間を短くすることができる。また、周辺装置やカバー部材を取り付ける工程の前に表示パネルの防塵性を確保することができるため、周辺装置やカバー部材を取り付ける作業は、クリーンルームの外の通常環境下で行うことができる。
【００１９】
また、前面板、表示パネル及びフレーム部材を一体に固定することで、装置全体の剛性を高め、前面板が撓むことを防止している。そのため、前面板と表示パネルとの間に隙間が生じることを防ぐことができる。その結果、組み立て作業時や組み立て完了後に、表示パネルの表示面に塵や埃が付着することを防止することができる。
【００２０】
更に、表示パネル、フレーム部材及び前面板を分解することなく、カバー部材だけを取り外すことができるため、カバー部材の色の変更等のカバー部材の変更を容易に行うことができる。
【図面の簡単な説明】
【００２１】
【図１】本発明の表示装置の実施の形態例をノート型情報処理装置の表示部に用いた斜視図である。
【図２】図１に示すノート型情報処理装置の表示部を閉じた状態を示す斜視図である。
【図３】本発明の表示装置の実施の形態例を示す分解斜視図である。
【図４】本発明の表示装置の実施の形態例におけるフレーム部材を示す斜視図である。
【図５】本発明の表示装置の実施の形態例におけるフレーム部材及び表示パネルを前面板に固定した状態を示す斜視図である。
【図６】本発明の表示装置の実施の形態例を示すものであり、図６（Ａ）は図５に示す前面板、フレーム部材及び表示パネルをＭ−Ｍ線で断面した断面図、図６（Ｂ）は図６（Ａ）の要部を示す断面図である。
【図７】図５に示す前面板に周辺装置を取り付けた状態を示す説明図である。
【図８】本発明の表示装置の実施の形態例を示すもので、図１に示す表示装置をＮ−Ｎ線で断面した断面図である。
【図９】従来の表示装置を示す分解斜視図である。
【図１０】図９に示す従来の表示装置の要部を示す断面図である。
【発明を実施するための形態】
【００２２】
以下、本発明の表示装置の実施の形態例について、図１〜図８を参照して説明する。なお、各図において共通の部材には、同一の符号を付している。また、本発明は、以下の形態に限定されるものではない。
なお、説明は以下の順序で行う。
１．実施の形態例の構成
２．表示装置の組立方法
【００２３】
１．実施の形態例の構成
まず、図１〜図８を参照して本発明の表示装置の実施の形態例（以下、「本例」という。）について説明する。
図１は、ノート型情報処理を示す斜視図、図２は、ノート型情報処理装置の表示部を閉じた状態を示す斜視図である。
【００２４】
［ノート型情報処理装置］
図１及び図２に示す装置は、本例の表示装置を表示部として適用したノート型情報処理装置、いわゆるノート型パーソナルコンピュータ（以下、「ノート型パソコン」という。）である。このノート型パソコン１は、本体部２と、本例の表示装置の実施の形態例を示す表示部３と、ヒンジ機構４等を備えて構成されている。本体部２及び表示部３は、互いに重なり合って積層可能に構成されている。そして、本体部２の上に表示部３が積層され、本体部２と表示部３がヒンジ機構４によって回動可能に連結されている。
【００２５】
［本体部］
本体部２は、扁平な略直方体状に形成されている。この本体部２の内部には、制御部と、ＨＤＤ（Hard disk drive）又はＦｌａｓｈ  ＳＤＤ（Flash solid state drive）等からなる記憶装置等が内蔵されている。制御部は、配線基板上に所定のマイクロコンピュータ、抵抗やコンデンサその他の電子部品等を搭載することによって形成される。
【００２６】
また、本体部２の略長方形をなす主面部２ａには、第１の入力部５が設けられている。第１の入力部５は、多数のキーからなる第１のキー式入力部６と、スティックポインタ７と、からなる。スティックポインタ７は、主面部２ａの中央部に配置されている。このスティックポインタ７は、後述する表示部３の表示面に表示されたカーソルの移動や画面のスクロール操作等に用いられる。これらの第１のキー式入力部６及びスティックポインタ７から制御信号が入力され、所定の情報処理等が行われる。
【００２７】
また、主面部２ａの長手方向の両側から略垂直に連続する側面部２ｂには、外付けディスクドライブやＵＳＢフラッシュメモリ等の外部装置と接続するための接続端子９が設けられている。
【００２８】
更に、本体部２における主面部２ａの短手方向の一側には、ヒンジ機構４が設けられている。図１及び図２に示すように、このヒンジ機構４によって本体部２と表示部３が回動可能に連結される。そして、本体部２に対して表示部３が上下方向へ回動可能とされたノート型パソコン１が構成されている。なお、ヒンジ機構４は、表示部３が本体部２に対して、任意の角度位置でその傾斜した姿勢を保持できるように構成されている。
【００２９】
上述したような構成を有する本体部２の材質としては、例えば、エンジニアリングプラスチック等が挙げられる。
【００３０】
［表示部］
次に、図３〜図８を参照して表示部３について説明する。
図３は、表示部３の分解斜視図である。
図１に示すように、表示部３は、本体部２と同様に、扁平な略直方体状に形成されている。図３に示すように、表示部３は、表示パネル１０と、本体部２の主面部２ａと対向する前面板１１と、カバー部材１２と、フレーム部材１３と、第１のクッション部材１４とを有している。更に、この表示部３には、周辺装置である２つのアンテナエレメント１５，１５と、カメラモジュール１６と、第２の入力部１７とを有している。
【００３１】
表示パネル１０は、略長方形をなす平板状に形成されている。この表示パネル１０としては、例えば液晶ディスプレイや有機ＥＬディスプレイ、表面電界ディスプレイ等が挙げられる。また、表示パネル１０は、表示パネル１０の背面側に光を当てる不図示のバックライトと、表示パネル１０の画面を制御する制御装置が搭載された配線基板１０ｂを有している。そして、各種の情報や画像等が表示パネル１０の表示面１０ａに表示可能に構成されている。
【００３２】
前面板１１は、略長方形をなす平板状に形成されている。また、前面板１１は、平板状に形成された枠部材２０と、この枠部材２０に固定されるクリアパネル２１とを有している。枠部材２０には、略長方形状に開口した開口部２２が形成されている。そして、枠部材２０の開口部２２の周囲には、本発明のクッション部材である第１のクッション部材１４が接着剤や両面テープ等による固定方法によって取り付けられている。
【００３３】
更に、枠部材２０には、開口部２２の長手方向の両側に２つの設置部２３ａ、２３ｂが設けられている。この２つの設置部２３ａ，２３ｂには、アンテナエレメント１５，１５、カメラモジュール１６及び第２の入力部１７等からなる周辺装置が搭載される。
【００３４】
枠部材２０における開口部２２の長手方向の一側に配置された第１の設置部２３ａには、第１の操作窓２４が設けられている。また、枠部材２０における開口部２２の長手方向の他側に配置された第２の設置部２３ｂには、第２の操作窓２５と、撮像窓２６が設けられている。
【００３５】
更に、この枠部材２０には、フレーム部材１３を固定する複数の固定部２８が設けられている。固定部２８は、開口部２２の周囲を囲むようにして形成されている。この固定部２８は、複数の係合爪２８ａと、複数のねじ部２８ｂとを有している。係合爪２８ａは、開口部２２の短手方向の一側に５つ配置され、開口部２２の短手方向の他側に３つ配置されている。更に、係合爪２８ａは、開口部２２の長手方向の両側にそれぞれ１つずつ設けられている。
【００３６】
また、ねじ部２８ｂは、開口部２２を囲むように４箇所に設けられている。このねじ部２８ｂは、枠部材２０におけるクリアパネル２１が取り付けられる体裁面と反対側の面から突出する突起にインサートナットを取り付けたものである。これにより、枠部材２０の体裁面にねじ穴や固定ねじが露出することがなく、前面板１１の体裁面の美観を向上させることができる。
【００３７】
なお、係合爪２８ａ及びねじ部２８ｂの数は、上述したものに限定されるものではなく、表示パネル１０の大きさに応じて適宜設定されるものである。
【００３８】
また、枠部材２０は、フレーム部材１３及び表示パネル１０の位置決めを行うリブ２９を有している。リブ２９は、体裁面と反対側の面から突出し、開口部２２の長手方向の両側に配置されている。
【００３９】
クリアパネル２１は、透明な平板状の部材で形成されている。このクリアパネル２１には、露出窓３０が形成されている。露出窓３０は、クリアパネル２１を枠部材２０に取り付けた際に、第１の操作窓２４と対応する箇所に配置されている。また、クリアパネル２１は、両面テープ３２によって枠部材２０に固定されている（図６（Ｂ）参照）。また、枠部材２０と、強度の高いクリアパネル２１とを一体化にすることで、前面板１１全体の強度を高めることができる。
【００４０】
なお、クリアパネル２１の固定方法は、両面テープ３２に限定されるものではなく、接着剤によって枠部材２０に接着固定してもよい。
【００４１】
図４は、表示部３におけるフレーム部材１３を示す斜視図である。図５は、フレーム部材１３を前面板１１に固定した状態を示す斜視図、図６（Ａ）は、図５に示すＭ−Ｍ線断面図、図６（Ｂ）は、図６（Ａ）の要部を拡大して示す断面図である。
【００４２】
図４に示すように、フレーム部材１３は、一面が開口された薄い容器状に形成されている。このフレーム部材１３は、略長方形に形成された主面部１３ａと、主面部１３ａの周囲を囲む側壁１３ｂ、１３ｃ、１３ｄ、１３ｅとを有している。
【００４３】
主面部１３ａの長手方向の両側に配置された第１の側壁１３ｂ及び第２の側壁１３ｃ及び短手方向の一側に配置された第３の側壁１３ｄは、主面部１３ａと略垂直に連続している。そして、主面部１３ａの短手方向の他側に配置された第４の側壁１３ｅは、主面部１３ａの短手方向の他端から円弧状に折れ曲がって連続している。主面部１３ａの面積は、表示パネル１０の面積とほぼ同じ大きさに設定されている。
【００４４】
そして、このフレーム部材１３に形成された凹部内に表示パネル１０が嵌め込まれる。これにより、表示パネル１０がフレーム部材１３に保持される。図示しないが、表示パネル１０の側面部又はフレーム部材１３の側壁１３ｂ、１３ｃ、１３ｄ、１３ｅの少なくとも一方に第２のクッション部材が設けられている。そして、この第２のクッション部材は、表示パネル１０をフレーム部材１３の側壁１３ｂ、１３ｃ、１３ｄ、１３ｅ側に付勢し、表示パネル１０とフレーム部材１３との隙間を解消する。これにより、表示パネル１０とフレーム部材１３との寸法誤差によって生じるガタツキを取り除くことができる。
【００４５】
第１の側壁１３ｂ及び第２の側壁１３ｃには、固定ねじ４１を締結するための固定部３４が設けられている。図５に示すように、固定部３４は、フレーム部材１３を前面板１１に固定した際に、枠部材２０に設けたねじ部２８ｂと対応する箇所に設けられている。
【００４６】
また、第４の側壁１３ｅには、枠部材２０の短手方向の他側に配置された係合爪２８ａと係合する係合受部３５が設けられている。図示しないが、第１の側壁１３ｂ、第２の側壁１３ｃ及び第３の側壁１３ｄにも、枠部材２０に設けた係合爪２８ａと係合する係合受部３５が形成されている。
【００４７】
図５に示すように、フレーム部材１３は、表示パネル１０を保持した状態で枠部材２０に固定ねじ４１による締結固定や係合爪２８ａと係合受部３５の係合によって固定される。これにより、表示パネル１０、前面板１１及びフレーム部材１３が一体に固定される。このように、前面板１１と、表示パネル１０及びフレーム部材１３を一体にすることで、前面板１１における面方向と直交する方向への撓みやねじれを規制することができ、表示部３全体の剛性を高めることができる。
【００４８】
ここで、前面板１１は、開口部２２の周辺部でフレーム部材１３と固定されている。よって、前面板１１の開口部２２の周辺部の強度を高めることができ、前面板１１における開口部２２の周辺部、すなわち前面板１１における表示パネル１０の外周付近が撓むことを防止することができる。これにより、前面板１１が撓むことで、前面板１１と表示パネル１０との間に大きな隙間が発生し、埃や塵が表示パネル１０の表示面１０ａ側に侵入することを防ぐことができる。
【００４９】
なお、本例では、フレーム部材１３と前面板１１との固定方法として、固定ねじ４１と係合爪２８ａを用いた例を説明したが、これに限定されるものではない。例えば、フレーム部材１３と前面板１１とを固定ねじ４１だけで、固定してもよい。固定ねじ４１だけで固定した場合、係合爪２８ａを用いて固定した場合と比べて、フレーム部材１３と前面板１１を強固に固定することができるだけでなく、組み立て性を向上させることができる。
【００５０】
または、フレーム部材１３と前面板１１とを係合爪２８ａだけで固定してもよい。係合爪２８ａだけで固定した場合、固定部の大きさを小さくすることができ、周辺装置を搭載する面積や、表示パネル１０の大きさを大きくすることができる。
【００５１】
また、図６（Ａ）に示すように、表示パネル１０は、フレーム部材１３と前面板１１との間に配置される。そして、前面板１１の開口部２２から、表示パネル１０の表示面１０ａが臨む。
【００５２】
更に、表示パネル１０の背面部は、フレーム部材１３の主面部１３ａによって覆われ、表示パネル１０の側面部は、フレーム部材１３の側壁１３ｂ、１３ｃ、１３ｄ、１３ｅによって覆われる。更に、表示パネル１０の表示面１０ａは、前面板１１によって覆われる。そのため、表示パネル１０は、前面板１１、フレーム部材１３及び第１のクッション部材１４によって形成される空間Ｐ内に密閉される（図６（Ｂ）参照）。これにより、表示パネル１０の表示面１０ａと前面板１１のクリアパネル２１との間に埃や塵が侵入することを防止することができる。
【００５３】
また、図６（Ｂ）に示すように、表示パネル１０と枠部材２０との間には、第１のクッション部材１４が介在されている。ここで、表示パネル１０は、フレーム部材１３を前面板１１に固定することで、第１のクッション部材１４側に押し付けられている。そのため、表示パネル１０の表示面１０ａの外縁と第１のクッション部材１４が密着する。これにより、表示パネル１０の表示面１０ａに埃や塵が付着することをより効果的に防止することができる。
【００５４】
上述したような構成を有するフレーム部材１３の材質としては、例えば、マグネシウム合金やステンレス鋼等の金属製の材料が挙げられる。なお、このフレーム部材１３をエンジニアプラスチックで形成してもよい。
【００５５】
図７は、前面板１１に周辺装置を搭載した状態を示す斜視図である。
この図７に示すように、前面板１１の枠部材２０には、アンテナエレメント１５，１５、カメラモジュール１６及び第２の入力部１７等からなる周辺装置が搭載される。２つのアンテナエレメント１５は、それぞれ電波を送受信可能なアンテナ部１５ａと、アンテナ部１５ａに接続されるグランド板（以下、「ＧＮＤ板」という。）１５ｂと、を有している。また、アンテナ部１５ａには、配線１５ｃが接続されている。
【００５６】
２つのアンテナエレメント１５、１５は、第１の設置部２３ａと第２の設置部２３ｂに一つずつ配置されている。そして、アンテナエレメント１５のＧＮＤ板１５ｂは、フレーム部材１３の主面部１３ａに接触している。これにより、アンテナエレメント１５の接地が行われる。なお、周辺装置としてアンテナエレメント１５を設ける場合は、接地を行うために、フレーム部材１３の材質は、マグネシウム合金等の金属製の材料が好ましい。
【００５７】
ここで、図１０に示す従来の表示装置１００では、アンテナエレメント１０４のＧＮＤ板１０４ｂは、リブ１０５を乗り越えて、表示パネル１０１の背面側に配置されている。そして、ＧＮＤ板１０４ｂがリブ１０５を乗り越えやすくするために、リブ１０５に切り欠きを設ける必要があった。そのため、図１０に示すような従来の表示装置１００では、リブ１０５の高さが部分的に低くなり、表示パネル１０１の側面を完全に保持することができていない。その結果、装置全体の強度が低下していた。
【００５８】
更に、リブ１０５に切り欠きを設けることで、この切り欠きに応力が集中し、表示パネル１０１に大きな力が加わり易い。そして、切り欠きを設けた箇所が表示パネル１０１に割れが生じる際の起点となる可能性がある。
【００５９】
図８は、図１に示す表示部３をＮ−Ｎ線で断面した断面図である。
図８に示すように、本例の表示部３のアンテナエレメント１５のＧＮＤ板１５ｂは、フレーム部材１３における主面部１３ａの表示パネル１０と対向する面と反対側の面に接触している。そのため、従来のアンテナエレメント１０４のＧＮＤ板１０４ｂのように、リブ１０５を乗り越える必要がないため、フレーム部材１３の側壁１３ｂ、１３ｃ、１３ｄ、１３ｅに切り欠きを設けなくてもよい。よって、側壁１３ｂ、１３ｃ、１３ｄ、１３ｅの高さを全周に亘って同じ長さに設定することができる。これにより、フレーム部材１３に応力が集中する箇所がなくなるため、表示パネル１０の割れの起点を無くすことができる。
【００６０】
そして、フレーム部材１３の側壁１３ｂ、１３ｃ、１３ｄ、１３ｅの高さを、表示部３の厚さの範囲内で限界まで長くすることができる。そのため、表示パネル１０の側面部をフレーム部材１３の側壁１３ｂ、１３ｃ、１３ｄ、１３ｅによって確実に覆うことができる。その結果、表示パネル１０を強固に保護できると共に、表示パネル１０の表示面１０ａ側に埃や塵が侵入することを効果的に防止することができる。
【００６１】
図７に戻り、第２の入力部１７は、２つのキーからなる第２のキー式入力部１８と、タッチパネル式のタッチ式入力部１９とを有している。タッチ式入力部１９の入力方式としては、例えば静電容量方式や抵抗膜方式等が挙げられる。
【００６２】
第２のキー式入力部１８は、第１の設置部２３ａに搭載されている。そして、第１の設置部２３ａに設けた第１の操作窓２４及びクリアパネル２１の露出窓３０から、第２のキー式入力部１８が臨む（図１参照）。また、タッチ式入力部１９は、第２の設置部２３ｂ設けた第２の操作窓２５に臨むように第２の設置部２３ｂに設置されている。
【００６３】
この第２のキー式入力部１８とタッチ式入力部１９は、フラットケーブル（ＦＦＣ：Flexible flat cables）３１を介して接続されている。そして、第２のキー式入力部１８とタッチ式入力部１９は、第２のキー式入力部１８又はタッチ式入力部１９のどちから一方から延在する配線によって本体部２側に接続される。
【００６４】
更に、カメラモジュール１６は、第２の設置部２３ｂに搭載されている。このカメラモジュール１６は、アンテナエレメント１５のアンテナ部１５ａとタッチ式入力部１９の間に配置されている。そして、カメラモジュール１６のレンズ部は、第２の設置部２３ｂに設けた撮像窓２６に臨んでいる。
【００６５】
また、主面部１３ａの短手方向の他端の両側には、ヒンジ機構４を構成するヒンジ部４ａが取り付けられている。このヒンジ部４ａの一端は、表示部３に固定されており、他端は、本体部２に固定されている。そして、このヒンジ部４ａの一端と、他端は、回動可能に連結されている。そのため、表示部３と本体部２は、ヒンジ機構４を構成するヒンジ部４ａによって、回動可能に連結される。
【００６６】
カバー部材１２は、略長方形をなす容器状に形成されている。このカバー部材１２は、中央部が前面板１１と反対方向に向けて膨出し、周縁部が丸みを帯びている。更に、カバー部材１２の外縁には、不図示の固定爪が設けられている。なお、前面板１１の外周には、不図示の係合受部が設けられている。そして、カバー部材１２の固定爪は、前面板１１の外周に設けた係合受部と係合する。
【００６７】
図８に示すように、カバー部材１２は、前面板１１の体裁面と反対側に配置されて、前面板１１の背面側に着脱可能に取り付けられる。そして、このカバー部材１２は、フレーム部材１３、表示パネル１０、２つのアンテナエレメント１５，１５、カメラモジュール１６及び第２の入力部１７を全て覆っている。また、このカバー部材１２は、前面板１１からフレーム部材１３及び表示パネル１０やアンテナエレメント１５等の周辺装置を分解することなく、前面板１１から取り外すことができる。
【００６８】
また、カバー部材１２によって、フレーム部材１３の背面側や、周辺装置を覆うことで、フレーム部材１３及び周辺装置と前面板１１との固定箇所を隠すことができる。更に、カバー部材１２は、固定爪によって前面板１１に固定されるため、カバー部材１２や前面板１１に固定ねじを螺合するための固定穴を設ける必要がない。これにより、体裁面に固定ねじやねじ穴が露出することがなく、デザイン性に優れた表示部３を形成することができる。
【００６９】
上述したような構成を有するカバー部材１２の材質としては、例えば、エンジニアリングプラスチック等が挙げられる。
【００７０】
ここで、従来の表示装置１００のように、フレーム部材とカバー部材を例えばアウトサート成型によって一体に形成する場合、フレーム部材又はカバー部材のどちらか一方に不具合が生じると、全体を修正する必要があった。そのため、製造の段階で不良品が発生し易く、歩留まりが悪くなる、という問題を有していた。
【００７１】
また、フレーム部材の強度を高めると、カバー部材の体裁面にヒケや凹み等が生じ易くなり、装置の美観が損なうことになっていた。すなわち、アウトサート成型では、カバー部材の美観と、フレーム部材の強度とを同時に向上させることは、困難であった。
【００７２】
これに対し、本例では、フレーム部材１３とカバー部材１２とを別部材として構成している。そのため、アウトサート成型によって一体に形成した場合よりも、歩留まりを向上させることができる。更に、別部材として構成することで、強度の高いフレーム部材１３と、美観に優れたカバー部材１２を同時に達成することができる。
【００７３】
２．表示部３の組み立て方法
次に、上述したような構成を有する表示部３の組み立て方法について図３、図５〜図８を参照して説明する。
なお、枠部材２０とクリアパネル２１は、両面テープ３２によって一体に固定されているものである。
【００７４】
まず、図３に示すように、枠部材２０の開口部２２の周辺部に第１のクッション部材１４を取り付ける。また、表示面１０ａをフレーム部材１３の主面部１３ａと反対方向に向けて表示パネル１０をフレーム部材１３の凹部内に嵌め込む。なお、表示パネル１０の側面部又はフレーム部材１３の側壁１３ｂ、１３ｃ、１３ｄ、１３ｅの少なくとも一方に第２のクッション部材が設けられている。この第２のクッション部材によって、表示パネル１０とフレーム部材１３との寸法誤差によって生じるガタツキを取り除くことができる。これにより、表示パネル１０とフレーム部材１３が一体化されたフレーム組立体が構成される。
【００７５】
次に、図５に示すように、表示パネル１０の表示面１０ａを前面板１１の開口部２２に臨ませる。そして、フレーム部材１３の固定部３４に固定ねじ４１を螺合すると共に、枠部材２０の係合爪２８ａをフレーム部材１３の係合受部３５や側壁１３ｂ、１３ｃ、１３ｄに係合させる。これにより、表示パネル１０と、フレーム部材１３と、前面板１１とが一体化された表示パネル組立体が構成される。
【００７６】
このとき、図６（Ａ）及び図６（Ｂ）図表示パネル１０は、前面板１１に設けた第１のクッション部材１４側に押し付けられる。そのため、表示パネル１０の表示面１０ａの外縁と第１のクッション部材１４が密着する。
【００７７】
そして、表示パネル１０は、フレーム部材１３と前面板１１及び第１のクッション部材１４によって覆われる。これにより、表示パネル１０の表示面１０ａ側、すなわち、前面板１１、フレーム部材１３及び第１のクッション部材１４によって形成される空間Ｐに埃や塵が侵入することを防止することができる。そして、表示面１０ａ側に塵や埃が侵入するおそれがなく、表示パネル１０の防塵性が確保されているため、これ以降の作業は、クリーンルームの外の通常環境下で行うことができる。これにより、組み立て作業を容易に行うことができる。
【００７８】
次に、図７に示すように、２つのアンテナエレメント１５，１５、カメラモジュール１６及び第２の入力部１７からなる周辺装置を前面板１１に取り付ける。アンテナエレメント１５のアンテナ部１５ａは、第１の設置部２３ａ及び第２の設置部２３ｂに搭載される。そして、アンテナエレメント１５のＧＮＤ板１５ｂは、折り曲げられてフレーム部材１３における主面部１３ａに接触する。
【００７９】
また、第２のキー式入力部１８を第１の設置部２３ａに搭載する。そして、第１の設置部２３ａに設けた第１の操作窓２４及びクリアパネル２１の露出窓３０から、第２のキー式入力部１８が臨む（図１参照）。そして、タッチ式入力部１９を第２の設置部２３ｂに搭載する。これにより、タッチ式入力部１９の入力面が第２の操作窓２５に臨む。なお、予め第２のキー式入力部１８とタッチ式入力部１９は、フラットケーブル３１を介して接続されている。
【００８０】
更に、カメラモジュール１６は、撮像窓２６が設けられた第２の設置部２３ｂに搭載される。これにより、カメラモジュール１６のレンズ部が撮像窓２６に臨む。これにより、表示パネル組立体が取り付けられる。
【００８１】
そして、カバー部材１２を、表示パネル組立体の体裁面であるクリアパネル２１側の反対側に配置する。次に、カバー部材１２の外縁に設けた固定爪と前面板１１に外周に設けた係合受部とを係合して、カバー部材１２を前面板１１に取り付ける。そして、フレーム部材１３、表示パネル１０、２つのアンテナエレメント１５，１５、カメラモジュール１６及び第２の入力部１７の全てが、カバー部材１２によって覆われる。これにより、表示部３の組立が完了する。
【００８２】
このとき、フレーム部材１３と前面板１１とを固定する固定ねじ４１や係合爪２８ａ等の装置の美観を損なう部品は、カバー部材１２によって隠れる。そのため、デザイン性に優れた表示部３を提供することができる。
【００８３】
更に、カメラモジュール１６等の周辺装置を交換する場合や、カバー部材１２を交換する場合、カバー部材１２を前面板１１から取り外すだけで行うことができる。よって、表示パネル１０、前面板１１及びフレーム部材１３からなる表示パネル組立体を分解する必要がない。これにより、カバー部材１２の色等の仕様が変更した際に、カバー部材１２及び周辺装置の交換作業を容易に行うことができる。
【００８４】
また、表示パネル１０の防塵性は、確保されているため、通常環境下でカメラモジュール１６等の周辺装置やカバー部材１２の交換作業を行うことができる。
【００８５】
なお、本発明は上述しかつ図面に示した実施の形態に限定されるものではなく、特許請求の範囲に記載した発明の要旨を逸脱しない範囲内で種々の変形実施が可能である。例えば、上述した実地の形態例では、前面板に係合爪を設け、フレーム部材に係合受部を設けた例を説明したが、フレーム部材に係合爪を設けて、前面板に係合爪と係合する係合受部を設けてもよい。
【００８６】
表示装置が用いられる電子機器の具体例としてノート型パソコンの表示部に用いた例を説明したが、これに限定されるものではない。本発明の表示装置は、例えば電子辞書、ＤＶＤプレーヤ、カーナビゲーション、携帯電話端末装置その他各種の電子機器の表示部に適用できるものである。
【符号の説明】
【００８７】
１…ノート型パソコン、  ２…本体部、  ３…表示部（表示装置）、  ４…ヒンジ機構、  １０…表示パネル、  １０ａ…表示面、  １１…前面板、  １２…カバー部材、  １３…フレーム部材、  １３ａ…主面部、  １３ｂ，１３ｃ，１３ｄ，１３ｅ…側壁、  １４…第１のクッション部材（クッション部材）、  １５…アンテナエレメント、  １５ａ…アンテナ部、  １５ｂ…グランド板、  ２０…枠部材、  ２１…クリアパネル、  ２２…開口部、  ２３ａ，２３ｂ…設置部、  ２８，３４…固定部、  ２８ａ…係合爪、  ２８ｂ…ねじ部、  ３５…係合受部
【図１】
2011242480.tif 000003
【図２】
2011242480.tif 000004
【図３】
2011242480.tif 000005
【図４】
2011242480.tif 000006
【図５】
2011242480.tif 000007
【図６】
2011242480.tif 000008
【図７】
2011242480.tif 000009
【図８】
2011242480.tif 000010
【図９】
2011242480.tif 000011
【図１０】
2011242480.tif 000012